(57)【要約】【課題】開封作業等を容易に行えるテープカッタを提供する。【解決手段】テープを切断する歯２を有するカッタ部３と、このカッタ部３に対して折り曲げられテープロールを把持する対のアーム部４とを備える折り曲げ式のテープカッタ１において、カッタ部３またはアーム部４にＵ字形切り欠き６を形成し、このＵ字形切り欠き６に囲まれる部位を突出させて爪部５を形成する構成とする。【選択図】図１
2007119210.tif 000002
【特許請求の範囲】
【請求項１】
テープを切断する歯を有するカッタ部と、
このカッタ部に対して折り曲げられテープロールを把持する対のアーム部とを備える折り曲げ式のテープカッタにおいて、
前記カッタ部または前記アーム部にＵ字形切り欠きを形成し、
このＵ字形切り欠きに囲まれる部位を突出させて爪部を形成する構成としたことを特徴とするテープカッタ。
【請求項２】
前記Ｕ字形切り欠きを前記アーム部に形成し、
前記Ｕ字形切り欠きの両端部を前記アーム部の折り曲げ部に配置したことを特徴とする請求項１に記載のテープカッタ。
【発明の詳細な説明】
【技術分野】
【０００１】
本発明は、テープロールを把持する対のアーム部と折り曲げて取り付けられる折り曲げ式のテープカッタの改良に関するものである。
【背景技術】
【０００２】
従来、この種のテープカッタは、金属薄板をプレス機によって打ち抜いて形成され、テープを切断する歯を有するカッタ部と、このカッタ部に対して折り曲げられテープロールを把持する対のアーム部とを備える。
【特許文献１】特開２００５−１１９８６８号公報
【発明の開示】
【発明が解決しようとする課題】
【０００３】
しかしながら、このような従来のテープカッタにあっては、テープを切断する歯を有するカッタ部はテープロールのテープ巻き部に沿って延びているため、例えば、テープで包装された箱を開ける場合、テープカッタのカッタ部をテープに押し当てて切断することができず、ナイフやカッター等の道具を用いる必要があった。
【０００４】
本発明は上記の問題点に鑑みてなされたものであり、開封作業等を容易に行えるテープカッタを提供することを目的とする。
【課題を解決するための手段】
【０００５】
本発明では、テープを切断する歯を有するカッタ部と、このカッタ部に対して折り曲げられテープロールを把持する対のアーム部とを備える折り曲げ式のテープカッタにおいて、カッタ部またはアーム部にＵ字形切り欠きを形成し、このＵ字形切り欠きに囲まれる部位を突出させて爪部を形成する構成とする。
【発明の効果】
【０００６】
本発明によると、例えばテープで包装された箱を開ける場合、使用者がテープロールと共にテープカッタを持って、テープカッタから突出した爪部をテープに押し当てることによりテープが切断される。こうしてテープカッタを使用して容易に開封作業を行うことができ、ナイフやカッター等の道具を用いる必要がない。
【発明を実施するための最良の形態】
【０００７】
本発明の第１実施形態の構成を説明する。
【０００８】
図２に示すように、テープカッタ１は金属薄板をプレス機によって打ち抜いて形成されるものであり、図１に示すように折り曲げられた状態で図示しないテープロールに取り付けられるようになっている。
【０００９】
テープカッタ１は、テープを切断する歯２を有するカッタ部３と、このカッタ部３に対して折り曲げられテープロールを把持する対のアーム部４とを有する。
【００１０】
テープカッタ１は、各アーム部４がテープロールの両側部から芯材の内周面に掛けて折り曲げられることにより、カッタ部３はテープロールのテープ巻き部に沿って延び、テープロールに対して回動可能に取り付けられる。
【００１１】
そして本発明の要旨とするところであるが、テープカッタ１にＵ字形切り欠き６を形成し、このＵ字形切り欠き６に囲まれる部位を突出させて爪部５を形成する構成とする。
【００１２】
本実施形態では、図２に示すように、Ｕ字形切り欠き６をアーム部４に形成し、Ｕ字形切り欠き６の両端部６ａをアーム部４の折り曲げ部７に配置している。
【００１３】
使用時、図１に示すように、爪部５はカッタ部３から連続して平板状に延び、アーム部４に対して略直交する。
【００１４】
カッタ部３には折り曲げ部７に二対の切り欠き８，９が形成され、テープロールの幅の大小に応じて折り曲げ部７を切り欠き８，９の一方に合わせて各アーム部４が折り曲げられようになっている。
【００１５】
本実施形態では、一方の折り曲げ部７にＵ字形切り欠き６の両端部６ａを配置し、他方の折り曲げ部７に複数の小穴１９が直線上に並んで形成される。これにより、各アーム部４を各折り曲げ部７に沿って折り曲げることが容易に行える。
【００１６】
カッタ部３には横方向に溝状に延びる大小の凹部１１，１２が形成され、この凹部１１，１２によって平板状のカッタ部３の剛性が高められる。
【００１７】
以上のように構成されて、次に作用及び効果について説明する。
【００１８】
テープカッタ１の使用時は、各アーム部４がテープロールの両側部から芯材の内周面に掛けて折り曲げられることにより、テープカッタ１がテープロールに対して回動可能に取り付けられる。
【００１９】
こうしてテープカッタ１がテープロールに取り付けられた状態で、テープロールから引き出されたテープを歯２に押し付けることにより、歯２に沿ってテープが切断される。
【００２０】
例えば、テープで包装された箱を開ける場合、使用者がテープロールと共にテープカッタ１を持って、テープカッタ１から突出した爪部５をテープに押し当てることによりテープが切断される。このようにテープカッタ１を使用して容易に開封作業を行うことができ、ナイフやカッター等の道具を用いる必要がない。
【００２１】
本実施形態では、Ｕ字形切り欠き６をアーム部４に形成し、Ｕ字形切り欠き６の両端部６ａをアーム部４の折り曲げ部７に配置したため、テープカッタ１をテープロールに取り付ける際、アーム部４を折り曲げ部７に沿って折り曲げることにより、Ｕ字形切り欠き６に囲まれる爪部５がカッタ部３から連続して平板状に延びる形状を維持し、折り曲げられたアーム部４に対して略直交して突出する。したがって、爪部５を折り曲げて突出させる作業を行わなくて済み、手間がかからない。
【００２２】
また、テープカッタ１は従来のテープカッタに比べて部品数や生産工程が増加することがなく、製品のコストアップを招かないで済む。
【００２３】
次に図３〜６に示す他の実施形態を説明する。なお、前記実施形態と同一構成部には同一符号を付す。
【００２４】
図３に示す本発明の第２実施形態は、爪部５をアーム部４から折り曲げて突出させるものであり、この爪部５は歯２に近いアーム部４の側部に沿って突出する。
【００２５】
図４に示す本発明の第３実施形態は、爪部５をアーム部４から折り曲げて突出させるものであり、この爪部５は歯２から遠いアーム部４の側部に沿って突出する。
【００２６】
図５に示す本発明の第４実施形態は、爪部５をカッタ部３の凹部１１から折り曲げて突出させるものであり、この爪部５は凹部１１の中央部から突出する。
【００２７】
図５に示す本発明の第５実施形態は、爪部５をカッタ部３の凹部１１から折り曲げて突出させるものであり、この爪部５は凹部１１の端部から突出する。
【００２８】
このように、爪部５を突出させる位置はテープカッタ１の大きさや用途によって任意に設定するば良い。
【００２９】
なお、各実施形態において、各アーム部４の折り曲げ部に複数の小穴を直線上に並んで形成しても良い。
【００３０】
また、テープカッタ１は金属板に限らず、例えば厚紙等の他の材料を用いて形成しても良い。
【００３１】
本発明は上記の実施の形態に限定されずに、その技術的な思想の範囲内において種々の変更がなしうることは明白である。
【産業上の利用可能性】
【００３２】
本発明は、例えばガムテープ等を始め、種々のテープに用いられるテープカッタに適用できる。
【図面の簡単な説明】
【００３３】
【図１】本発明の第１実施形態を示すテープカッタの斜視図。
【図２】同じくテープカッタの平面図。
【図３】本発明の第２実施形態を示すテープカッタの斜視図。
【図４】本発明の第３実施形態を示すテープカッタの斜視図。
【図５】本発明の第４実施形態を示すテープカッタの斜視図。
【図６】本発明の第５実施形態を示すテープカッタの斜視図。
【符号の説明】
【００３４】
１  テープカッタ
２  歯
３  カッタ部
４  アーム部
５  爪部
６  Ｕ字形切り欠き
７  折り曲げ部
【図１】
2007119210.tif 000003
【図２】
2007119210.tif 000004
【図３】
2007119210.tif 000005
【図４】
2007119210.tif 000006
【図５】
2007119210.tif 000007
【図６】
2007119210.tif 000008